(57)【特許請求の範囲】
【請求項１】
映像情報を入力処理する着脱可能な第１の機能拡張部と、
自装置が提供される地域で利用される言語の文字列を表示するためのフォント情報、及び前記地域に対応した画面を表示するための画面情報のうちいずれか一つ以上を記憶する記憶部を有する着脱可能な第２の機能拡張部と、
前記第１の機能拡張部から入力された前記映像情報と、前記地域に対応した文字列又は画面を表示部に表示するために前記第２の機能拡張部から入力された前記フォント情報及び前記画面情報のうちいずれか一つ以上と、を前記表示部に出力する制御部と、
を備える映像出力装置。
【請求項２】
他の映像情報を入力処理する着脱可能な他の機能拡張部と、
前記映像情報と、前記他の映像情報と、をマージする着脱可能な第３の機能拡張部を、さらに備え、
前記制御部は、前記第１の機能拡張部から入力された前記映像情報を、前記第３の機能拡張部に受け渡し、前記第３の機能拡張部によりマージされた映像情報を、前記表示部に出力する、
請求項１に記載の映像出力装置。
【請求項３】
前記第１の機能拡張部の機能と、前記第２の機能拡張部の機能と、が一つの機能拡張部として構成されている、
請求項１又は２に記載の映像出力装置。
【請求項４】
リモートコントローラからの赤外線信号を受信するセンサーを備えた第４の機能拡張部をさらに備え、
前記制御部は、前記第４の機能拡張部が受信した赤外線信号に対応する制御を行う、
請求項１に記載の映像出力装置。
【請求項５】
前記映像出力装置に対して電力を供給する電源部として機能する着脱可能な第５の機能拡張部をさらに備え、
前記制御部は、前記第５の機能拡張部から供給される電力を用いて制御を行う、
請求項１に記載の映像出力装置。
【請求項６】
前記映像出力装置に対して電力を供給する第２の電源部として機能する着脱可能な第６の機能拡張部をさらに備え、
前記制御部は、前記第５の機能拡張部及び前記第６の機能拡張部のうちいずれ１つから供給される電力を用いて制御を行う、
請求項５に記載の映像出力装置。
【請求項７】
映像出力装置で実行される映像出力方法であって、
前記映像出力装置は、映像情報を入力処理する着脱可能な第１の機能拡張部と、
前記映像出力装置が提供される地域で利用される言語の文字列を表示するためのフォント情報、及び前記地域に対応した画面を表示するための画面情報のうちいずれか一つ以上を記憶する記憶部を有する着脱可能なる第２の機能拡張部と、を備え、
映像情報を入力処理する着脱可能な第１の機能拡張部から入力された前記映像情報と、前記地域に対応した文字列又は画面を表示部に表示するために前記第２の機能拡張部から入力された前記フォント情報及び前記画面情報のうちいずれか一つ以上と、を表示部に出力する制御ステップと、
を含む映像出力方法。
【発明の詳細な説明】
【技術分野】
【０００１】
本発明の実施形態は、映像出力装置、及び映像出力方法に関する。
【背景技術】
【０００２】
従来、例えばテレビジョン受信機のような映像出力装置においては、音量調整や、チャネル選択など地域やユーザの要求に拘わらず共通する機能を有しているが、地域やユーザの要求に応じて、デジタル方式、リモートコントローラ、録画機能など異なる機能も存在する。
【先行技術文献】
【特許文献】
【０００３】
【特許文献１】特表２００２−５４１７５１号公報
【発明の概要】
【発明が解決しようとする課題】
【０００４】
このため、従来技術においては、地域及びユーザの要求に応じて異なる種類の映像出力装置を提供することになり、開発負担が大きかった。【０００５】
本発明は、上記に鑑みてなされたものであって、開発負担を軽減する映像出力装置、及び映像出力方法を提供することを目的とする。
【課題を解決するための手段】
【０００６】
実施形態の映像出力装置は、第１の機能拡張部と、第２の機能拡張部と、制御部と、を備える。第１の機能拡張部は、着脱可能で、映像情報を入力処理する。第２の機能拡張部は、着脱可能で、自装置が提供される地域で利用される言語の文字列を表示するためのフォント情報、及び地域に対応した画面を表示するための画面情報のうちいずれか一つ以上を記憶する記憶部を有する。制御部は、第１の機能拡張部から入力された映像情報と、地域に対応した文字列又は画面を表示部に表示するために第２の機能拡張部から入力されたフォント情報及び画面情報のうちいずれか一つ以上と、を表示部に出力する。
【図面の簡単な説明】
【０００７】
【図１】図１は、第１の実施形態におけるテレビジョン表示装置の概要を示した図である。
【図２】図２は、第１の実施形態にかかるテレビジョン表示装置の基本構造を示した図である。
【図３】図３は、第１の実施形態にかかるテレビジョン表示装置における、起動時の処理の手順を示すフローチャートである。
【図４】図４は、第１の実施形態にかかるテレビジョン表示装置における、電源からの電力供給処理の手順を示すフローチャートである。
【図５】図５は、第１の実施形態にかかるテレビジョン表示装置が、機能拡張部として入力モジュールを備えた構成を示した図である。
【図６】図６は、第１の実施形態にかかる入力モジュールにおける、入力モジュールから入力された映像データを表示するまでの処理の手順を示すフローチャートである。
【図７】図７は、第１の実施形態にかかる入力モジュールにおける、入力された映像データを記録するまでの処理の手順を示すフローチャートである。
【図８】図８は、第１の実施形態にかかるテレビジョン表示装置における、ＨＤＤに記録された映像データを表示するまでの処理の手順を示すフローチャートである。
【図９】図９は、第１の実施形態にかかるテレビジョン表示装置が、機能拡張部として入力モジュール、及び出力モジュールを備えた構成を示した図である。
【図１０】図１０は、第１の実施形態にかかるテレビジョン表示装置における、入力モジュールから入力された映像データ等を、出力モジュールから出力する処理の手順を示すフローチャートである。
【図１１】図１１は、第１の実施形態にかかるテレビジョン表示装置が、機能拡張部としてネットワーク通信部を備えた構成を示した図である。
【図１２】図１２は、第１の実施形態にかかるテレビジョン表示装置における、ネットワーク通信部に入力された映像データ等を、記録するまでの処理の手順を示すフローチャートである。
【図１３】図１３は、第１の実施形態にかかるテレビジョン表示装置における、ネットワーク通信部に格納されているメニュー画面を表示する処理の手順を示すフローチャートである。
【図１４】図１４は、第１の地域用のネットワーク通信部のメニュー情報保持部、フォント情報保持部から読み出されたメニュー画面の例図である。
【図１５】図１５は、第１の地域と異なる第２の地域用のネットワーク通信部のメニュー情報保持部、フォント情報保持部から読み出されたメニュー画面の例図である。
【図１６】図１６は、第１の実施形態にかかるテレビジョン表示装置における、ネットワーク通信部が外部と通信する処理の手順を示すフローチャートである。
【図１７】図１７は、第１の実施形態にかかるテレビジョン表示装置が、機能拡張部としてセンサー部を備えた構成を示した図である。
【図１８】図１８は、第１の実施形態にかかるテレビジョン表示装置における、センサーで取得された情報の処理手順を示すフローチャートである。
【図１９】図１９は、第１の実施形態にかかるテレビジョン表示装置が、機能拡張部として複数の入力モジュールを備えた構成を示した図である。
【図２０】図２０は、第１の実施形態にかかるテレビジョン表示装置における、第１の入力モジュールに入力された映像データと、第２の入力モジュールに入力された映像データと、をマージする処理の手順を示すフローチャートである。
【図２１】図２１は、第２の実施形態にかかるテレビジョン表示装置が、機能拡張部として複数の電源部を備えた構成を示した図である。
【図２２】図２２は、第２の実施形態にかかるテレビジョン表示装置における、電源からの電力供給処理の手順を示すフローチャートである。
【発明を実施するための形態】
【０００８】
以下に示す実施形態では、映像出力装置を、テレビジョン表示装置に適用した例について説明する。なお、後述する実施形態は、映像出力装置を、テレビジョン表示装置に限定するものではなく、映像データを表示部に出力する装置であれば良い。
【０００９】
（第１の実施形態）
図１は、第１の実施形態におけるテレビジョン表示装置１００の概要を示した図である。図１に示す例では、テレビジョン表示装置１００は、地域依存／機能拡張部分と、グローバル共通部と、に分かれている。
【００１０】
地域依存／機能拡張部分は、地域やユーザの要求に応じて着脱が行われる構成が接続された部分とする。本実施形態では、地域依存／機能拡張部分に設けられ、接続した際にグローバル共通部に対して機能を提供する構成を機能拡張部と称する。
【００１１】
グローバル共通部は、地域やユーザの要求に拘わらず共通している構成が設けられた部分とする。本実施形態では、グローバル共通部に共通制御部１０１と表示パネル１３０とが設けられた例とする。そして、共通制御部１０１は、機能拡張部から提供されている機能を利用するために、機能拡張部を制御する。
【００１２】
本実施形態にかかるテレビジョン表示装置１００は、機能拡張部として様々なモジュールを着脱可能とする。図１は、着脱可能な機能拡張部として、機能拡張部１５０と、電源部１７０と、を設けた例とする。
【００１３】
機能拡張部１５０は、制御部１５１と、出力変換部１５２と、出力端子１５３と、入力変換部１５４と、入力端子１５５と、制御信号入出力端子１５６と、タイプ認識用ＲＯＭ１５７と、を備える。図１に示される機能拡張部１５０は、本実施形態にかかる機能拡張部に必要な構成を概念的に示している。なお、具体的な機能拡張部については後述する。
【００１４】
タイプ認識用ＲＯＭ１５７は、機能拡張部１５０の種別を識別するデータを格納している。つまり、共通制御部１０１が、タイプ認識用ＲＯＭ１５７を参照することで、当該機能拡張部１５０の種別、換言すれば当該機能拡張部１５０が提供している機能を認識できる。
【００１５】
制御信号入出力端子１５６は、構成間で相互に制御や、ステータスの読み込み等を行うためのインターフェースとする。例えば、共通制御部１０１が、制御信号入出力端子１５６を介して、機能拡張部１５０を制御する。さらに、共通制御部１０１が、制御信号入出力端子１５６を介して、タイプ認識用ＲＯＭ１５７に格納されているデータを読み込み、機能拡張部１５０の種別を認識する。
【００１６】
入力端子１５５は、共通制御部１０１から映像データや音声データを入力する。つまり、共通制御部１０１が機能拡張部１５０の機能を認識した後、機能拡張部１５０が有する機能を利用したい場合、機能拡張部１５０は、入力端子１５５を介して映像データや音声データが入力される。
【００１７】
入力変換部１５４は、入力端子１５５から入力された電気的な信号を、論理信号に変換する。このように入力変換部１５４は物理層レベルで信号の変換を行う。
【００１８】
制御部１５１は、機能拡張部１５０の全体を制御すると共に、機能拡張部１５０が提供している機能で、入力された映像データや音声データを処理する。なお、機能拡張部１５０が提供する機能に特に制限を設けるものではない。本実施形態にかかる機能拡張部１５０が提供する機能の例については後述する。
【００１９】
出力変換部１５２は、制御部１５１で処理された映像データ、音声データの論理信号を、共通制御部１０１に送信するために物理層レベルで伝送信号に変換する。例えば、ＨＤＭＩ（登録商標）、Ｄｉｓｐｌａｙｐｏｒｔ、ＭＨＬ等が考えられる。
【００２０】
出力端子１５３は、出力変換部１５２で伝送信号に変換された映像データ、音声データを、共通制御部１０１に（家電向けのインターフェースで）出力する。なお、機能拡張部は、入力端子と出力端子の両方を備えている必要は無く、いずれか１つでも良い。さらには、電源部１７０のように入力端子及び出力端子が共に設けられていなくとも良い。
【００２１】
図１に示される、電源部１７０は、テレビジョン表示装置１００に着脱可能な機能拡張部の一例とする。図１に示されるように、電源部１７０は、バッテリ１７１と、ＡＣ電源ポート１７２と、ＡＣ／ＤＣコンバータ１７３と、セレクタ１７４と、ＣＰＵ１７５と、電源端子１７６と、制御信号入出力端子１７７と、タイプ認識用ＲＯＭ１７８と、を備える。
【００２２】
電源端子１７６は、共通制御部１０１に電力を供給するための端子とする。
【００２３】
セレクタ１７４は、バッテリ１７１及びＡＣ電源ポート１７２から、電源端子１７６に電力を供給する電源を選択する。
【００２４】
バッテリ１７１は、ＡＣ電源ポート１７２から供給される電力を蓄積する機能と、電源端子１７６に電力を供給する機能と、を有する。
【００２５】
ＡＣ電源ポート１７２は、外部から電力を供給されるためのポートとする。外部から供給される電力は地域毎に異なるので、ＡＣ電源ポート１７２も地域毎に異なる構成となる。これにより、ＡＣ電源ポート１７２を含む電源部１７０も地域毎に設けられる構成となる。換言すれば、本実施形態に掛かるテレビジョン表示装置１００では、地域に応じた電源部１７０を装着することで、地域の事情に応じた電力供給を実現できる。
【００２６】
ＡＣ／ＤＣコンバータ１７３は、ＡＣ電源ポート１７２から供給される電力を、ＡＣ（直流）からＤＣ（交流）に変換する。ＡＣ／ＤＣコンバータ１７３の仕様は、ＡＣ電源ポート１７２と同様に地域毎に異なるので、ＡＣ／ＤＣコンバータ１７３も地域毎に適したモジュールになる。
【００２７】
制御信号入出力端子１７７は、構成間で相互に制御や、ステータスの読み込み等を行うためのインターフェースとする。例えば、共通制御部１０１が、制御信号入出力端子１７７を介して、電源部１７０の制御を行う。さらに、共通制御部１０１が、制御信号入出力端子１７７を介して、タイプ認識用ＲＯＭ１７８に格納されているデータを読み込み、機能拡張部（例えば電源部１７０）の種別を認識する。
【００２８】
タイプ認識用ＲＯＭ１７８は、電源部１７０の種別を識別するデータを格納している。つまり、共通制御部１０１が、タイプ認識用ＲＯＭ１７８を参照することで、接続されている構成が電源であることを認識できる。
【００２９】
ＣＰＵ１７５は、電源部１７０全体を制御する構成とする。
【００３０】
そして、本実施形態にかかるテレビジョン表示装置１００は、地域、ユーザの要求に応じた電源部１７０を、テレビジョン表示装置１００に接続する。例えば、電力の供給が不安定な地域であればバッテリ１７１を設け、常に電力が供給される地域であればバッテリ１７１を設けない等が考えられる。さらに、ユーザの要求に応じて、バッテリ１７１の蓄電容量を異ならせる等が考えられる。
【００３１】
グローバル共通部には、地域やユーザの要求にかかわらず共通して構成された部分である共通制御部１０１と、表示パネル１３０と、が設けられている。
【００３２】
表示パネル１３０は、情報を表示するための表示画面を有する表示部とする。表示パネル１３０としては、例えば、４Ｋ２Ｋ（3840×2160）に対応した表示パネルなどがあるが、解像度等は実施態様に応じて異なるものとする。
【００３３】
共通制御部１０１は、電源端子１０２と、電源回路１０３と、出力制御部１０４と、入力制御部１０５と、ネットワーク通信制御部１０６と、ＲＯＭ１０７と、制御部１０８と、第１の出力端子１０９−１と、第２の出力端子１０９−２と、第１の入力端子１１０−１と、第２の入力端子１１０−２と、第１のネットワーク端子１１１−１と、第２のネットワーク端子１１１−２と、制御信号入出力端子１１２と、を備える。
【００３４】
電源端子１０２は、電源入力用の端子とする。地域等に応じて異なる（いわゆる地域依存／機能拡張部分の）構成である電源部１７０から電力を供給される。
【００３５】
電源回路１０３は、電源端子１０２を介して供給された電力を、共通制御部１０１内の各モジュール、及び接続されている地域依存／機能拡張部分の構成（例えば機能拡張部１５０）に電力を供給する。
【００３６】
第１の入力端子１１０−１、及び第２の入力端子１１０−２は、地域依存／機能拡張部分に設けられた各構成（例えば、機能拡張部１５０）と接続し、信号を入力するためのインターフェースとする。本実施形態では、入力端子が複数設けられた例とする。これにより、複数の映像入力用の機能拡張部（例えば、機能拡張部１５０）と接続可能とする。
【００３７】
入力制御部１０５は、第１の入力端子１１０−１、及び第２の入力端子１１０−２を介して接続されている地域依存／機能拡張部分（例えば、機能拡張部１５０）から入力される信号を処理する。例えば、ＨＤＭＩ（登録商標）、Ｄｉｓｐｌａｙｐｏｒｔ、ＭＨＬ等用の信号を、共通制御部１０１内で利用可能な信号に変換する。
【００３８】
第１のネットワーク端子１１１−１、及び第２のネットワーク端子１１１−２は、イーサネット（登録商標）などのネットワークを介して接続された地域依存／機能拡張部分に含まれる構成と送受信するためのインターフェースとする。
【００３９】
ネットワーク通信制御部１０６は、第１のネットワーク端子１１１−１、及び第２のネットワーク端子１１１−２を介して接続された各構成とネットワーク接続し、データの送受信制御を行う。
【００４０】
ＲＯＭ１０７は、制御部１０８が読み込むためのファームウェアが格納されているＲＯＭとする。
【００４１】
制御部１０８は、表示制御部１２０を備え、共通制御部１０１全体を制御する。
【００４２】
表示制御部１２０は、映像データ等に画像処理を行う構成とする。本実施形態にかかる表示制御部１２０は、入力された映像データに対して画像処理を行い、表示パネル１３０に出力する。
【００４３】
第１の出力端子１０９−１、及び第２の出力端子１０９−２は、地域依存／機能拡張部分に設けられた各構成（例えば、機能拡張部１５０）と接続し、信号を出力するためのインターフェースとする。本実施形態では、出力端子が複数設けられた例とする。これにより、複数の映像出力用の機能拡張部と接続可能とする。
【００４４】
出力制御部１０４は、第１の出力端子１０９−１、及び第２の出力端子１０９−２を介して接続されている地域依存／機能拡張部分（例えば、機能拡張部１５０）に出力する信号を生成する。例えば、ＨＤＭＩ（登録商標）、Ｄｉｓｐｌａｙｐｏｒｔ、ＭＨＬ等用の信号に変換する。
【００４５】
制御信号入出力端子１１２は、地域依存／機能拡張部分に設けられた各構成（例えば、機能拡張部１５０）を制御するための制御信号を送受信する端子とする。また、制御信号入出力端子１１２を介して、地域依存／機能拡張部分の構成（例えば、機能拡張部１５０、電源部１７０）のタイプ認識用ＲＯＭ１５７、１７８と接続されている。
【００４６】
そこで、制御部１０８が、制御信号入出力端子１１２を介して、接続されている地域依存／機能拡張部分の構成（例えば、機能拡張部１５０、電源部１７０）のタイプ認識用ＲＯＭ１５７、１７８のデータを読み込むことができる。
【００４７】
このように、本実施形態にかかる共通制御部１０１は、接続されている地域依存／機能拡張部分に設けられた各構成（例えば、機能拡張部１５０）から入力された映像データ、音声データを表示する。つまり、本実施形態にかかる共通制御部１０１は、入力された映像データ、音声データを表示パネル１３０に表示するための制御という、地域やユーザの要求によらない制御を行う。
【００４８】
図２は、本実施形態にかかるテレビジョン表示装置１００の基本構造を示した図である。図２に示されるように、テレビジョン表示装置１００では、地域依存／機能拡張部と、グローバル共通部と、の組み合わせで構成されている。従来、これらの構成が分かれていなかったために、地域毎、ユーザの要求毎に応じた製品が作られていたため、設計効率の低下、機能の拡張性の低下、等が生じていた。
【００４９】
そこで、本実施形態にかかるテレビジョン表示装置１００では、地域依存／機能拡張部の構成と、グローバル共通部の構成とを、切り分け、地域依存／機能拡張部の構成を交換、取り外し可能とし、グローバル共通部の構成から制御可能とした。
【００５０】
次に、本実施形態にかかるテレビジョン表示装置１００における、起動時の処理について説明する。図３は、本実施形態にかかるテレビジョン表示装置１００における上述した処理の手順を示すフローチャートである。
【００５１】
まず、制御部１０８が、ＲＯＭ１０７からファームウェアを読み込む（ステップＳ３０１）。次に、制御部１０８が、制御信号入出力端子１１２を介して、共通制御部１０１に接続されている全ての機能拡張部（地域依存／機能拡張部分に含まれる構成）のタイプ認識用ＲＯＭのデータを読み込む（ステップＳ３０２）。
【００５２】
そして、制御部１０８が、共通制御部１０１に接続されている全ての機能拡張部（地域依存／機能拡張部分に含まれる構成）のタイプ（種別）を認識する（ステップＳ３０３）。
【００５３】
次に、制御部１０８が、共通制御部１０１及び接続されている機能拡張部のタイプ（種別）に応じたセットアップを行う（ステップＳ３０４）。
【００５４】
そして、共通制御部１０１及び共通制御部１０１に接続されている機能拡張部のセットアップが完了する（ステップＳ３０５）。
【００５５】
次に、本実施形態にかかるテレビジョン表示装置１００における、電源からの電力供給処理について説明する。図４は、本実施形態にかかるテレビジョン表示装置１００における上述した処理の手順を示すフローチャートである。
【００５６】
まず、電源部１７０のＣＰＵ１７５は、ＡＣ電源ポート１７２を介して接続されているＡＣ電源から、電力を供給するか否かを判定する（ステップＳ４０１）。電力を供給しないと判定した場合（ステップＳ４０１：Ｎｏ）、セレクタ１７４をバッテリ１７１側にセットして、電源端子１７６に、バッテリ１７１の電力を供給する（ステップＳ４０５）。
【００５７】
一方、電源部１７０のＣＰＵ１７５が、ＡＣ電源から、電力を供給すると判定した場合（ステップＳ４０１：Ｙｅｓ）、さらに、ＣＰＵ１７５は、ＡＣ電源から電力をバッテリ１７１に充電するか否かを判定する（ステップＳ４０２）。バッテリ１７１に充電すると判定した場合（ステップＳ４０２：Ｙｅｓ）、ＡＣ電源から供給された電力を、ＡＣ／ＤＣコンバータ１７３でＤＣに変換して、バッテリ１７１を充電する（ステップＳ４０３）。
【００５８】
一方、ＣＰＵ１７５は、バッテリ１７１を充電しないと判定した場合（ステップＳ４０２：Ｎｏ）、セレクタ１７４をＡＣ電源側にセットして、電源端子１７６に、ＡＣ電源側の電力を供給する（ステップＳ４０４）。そして、ステップＳ４０４、Ｓ４０５の処理の後、共通制御部１０１は、電源端子１０２を介して電力が供給される（ステップＳ４０６）。
【００５９】
図５は、本実施形態にかかるテレビジョン表示装置１００が、機能拡張部として入力モジュール６００を備えた構成を示した図である。図５に示されるように、入力モジュール６００は、第１の入力端子６０１と、チューナ６０２と、第２の入力端子６０３と、外側入力変換部６０４と、ＲＯＭ６０５と、制御部６０６と、ＨＤＤ６０７と、タイプ認識用ＲＯＭ６０８と、制御信号入出力端子６０９と、出力変換部６１０と、出力端子６１１と、入力変換部６１２と、入力端子６１３と、を備えている。なお、電源部１７０を含めた、他の機能拡張部については図５から省略する。
【００６０】
また、出力端子６１１、出力変換部６１０、入力変換部６１２、入力端子６１３、及び制御信号入出力端子６０９は、図１の出力変換部１５２、出力端子１５３、入力変換部１５４、入力端子１５５、制御信号入出力端子１５６と同様の処理を行うものとして説明を省略する。
【００６１】
第１の入力端子６０１は、放送波を受信する端子とする。この仕様は地域によって異なるので、地域ごとに適したモジュールになる。
【００６２】
チューナ６０２は、第１の入力端子６０１から入力された放送波の信号を受信し、論理信号に変換する。チューナ６０２は、地域によって異なるので、地域ごとに適したモジュールになる。
【００６３】
第２の入力端子６０３は、外部から映像データ、及び音声データを伝送信号として、家電向けのインターフェースの物理層レベルで入力する端子とする。入力される伝送信号としては、例えば、ＨＤＭＩ（登録商標）、Ｄｉｓｐｌａｙｐｏｒｔ、ＭＨＬ等用の信号がある。入力端子の仕様は地域、製品のターゲットユーザによって異なるので、第２の入力端子６０３は、地域、製品のターゲットユーザごとに適したモジュールになる。
【００６４】
外側入力変換部６０４は、第２の入力端子６０３から入力された電気的な信号を、論理信号に変換する。このように、外側入力変換部６０４は、物理層レベルで信号を変換する。
【００６５】
制御部６０６は、チューナ６０２、外側入力変換部６０４から映像データ、音声データを受け取り、デコード処理、映像処理、音声処理を施す。そして、制御部６０６は、処理が施された映像データ、音声データを、出力変換部６１０に出力する。また、制御部６０６は、制御信号入出力端子６０９を介して、共通制御部１０１と通信可能とする。
【００６６】
制御部６０６は、第１の入力端子６０１及び第２の入力端子６０３のいずれか一つ以上から入力された映像データ、音声データにブレンド等の処理を施す。
【００６７】
タイプ認識用ＲＯＭ６０８は、入力モジュール６００の種別を識別するデータを格納している。
【００６８】
そして、共通制御部１０１が、制御信号入出力端子６０９を介して、タイプ認識用ＲＯＭ６０８に格納されているデータを読み込むことで、（機能拡張部の種類として）入力モジュール６００であることを認識できる。
【００６９】
ＲＯＭ６０５は、制御部６０６が読み込むためのファームウェアが格納されているＲＯＭとする。
【００７０】
ＨＤＤ６０７は、第１の入力端子６０１及び第２の入力端子６０３のうち少なくとも１つから入力され、制御部６０６で処理された後の映像データ、音声データを記録（録画）する。本実施形態にかかる入力モジュール６００は、共通制御部１０１の電源がオフの場合でも、映像データ、音声データを記録（録画）し続けることが可能である。
【００７１】
次に、本実施形態にかかるテレビジョン表示装置１００における、入力モジュール６００から入力された映像データを表示するまでの処理について説明する。図６は、本実施形態にかかる入力モジュール６００における上述した処理の手順を示すフローチャートである。なお、図３で示した起動時のセットアップは完了しているものとする。
【００７２】
まず、制御部６０６が、ＲＯＭ６０５に格納されているファームウェアを読み込む（ステップＳ７０１）。次に、制御部６０６は、映像データ、音声データが入力されてきた場合に、チューナ６０２を介した入力であるか否かを判定する（ステップＳ７０２）。
【００７３】
制御部６０６が、チューナ６０２からの入力であると判定した場合（ステップＳ７０２：Ｙｅｓ）、チューナ６０２の設定を行うと共に、チューナ６０２から映像データ、音声データの入力を受け付ける（ステップＳ７０３）。
【００７４】
一方、制御部６０６が、チューナ６０２からの入力ではないと判定した場合（ステップＳ７０２：Ｎｏ）、外側入力変換部６０４の設定を行うと共に、外側入力変換部６０４から映像データ、音声データの入力を受け付ける（ステップＳ７０４）。
【００７５】
そして、制御部６０６が、入力された映像データに対して画像処理を実施する（ステップＳ７０５）。その際、必要に応じて音声データに対しても処理を施す。
【００７６】
次に、入力モジュール６００は、制御部６０６により処理が施された映像データ、及び音声データを出力変換部６１０で変換した後、出力端子６１１から映像データ、音声データを出力する（ステップＳ７０６）。
【００７７】
そして、共通制御部１０１は、第１の入力端子１１０−１から、映像データ、及び音声データの入力を受け付ける（ステップＳ７０７）。そして、入力された映像データ、及び音声データは、入力制御部１０５で変換等が行われた後、表示制御部１２０が、入力された映像データに対してスケーリング映像処理を行う（ステップＳ７０８）。なお、行う映像処理は、スケーリング映像処理に制限するものではなく、表示パネル１３０に表示するための映像処理であって、地域や、ユーザの要求によらない映像処理であれば良い。
【００７８】
そして、表示制御部１２０が、表示パネル１３０に映像データを出力する（ステップＳ７０９）。上述した処理により、入力モジュール６００に入力された映像データが表示される。
【００７９】
なお、入力モジュール６００は、入力された映像データ等を共通制御部１０１に出力するだけではなく、ＨＤＤ６０７に映像データを記録することもできる。そこで、入力モジュール６００が入力された映像データを記録するまでの処理について説明する。図７は、本実施形態にかかる入力モジュール６００における上述した処理の手順を示すフローチャートである。なお、図３で示した起動時のセットアップは完了しているものとする。
【００８０】
まず、制御部６０６が、ＲＯＭ６０５に格納されているファームウェアを読み込む（ステップＳ８０１）。次に、制御部６０６は、映像データ、音声データの入力を受け付ける（ステップＳ８０２）。なお、映像データ、音声データの入力はチューナ６０２、外側入力変換部６０４のどちらを介しても良い。
【００８１】
そして、制御部６０６は、入力された映像データに対して画像処理を実施する（ステップＳ８０３）。その際、必要に応じて音声データに対しても処理を施す。
【００８２】
次に、制御部６０６は、画像処理を施した映像データ、及び音声データをＨＤＤ６０７に記録する（ステップＳ８０４）。
【００８３】
上述した処理手順により、ＨＤＤ６０７に映像データ等が記録される。次に、本実施形態にかかるテレビジョン表示装置１００における、ＨＤＤ６０７に記録された映像データを表示するまでの処理について説明する。図８は、本実施形態にかかるテレビジョン表示装置１００における上述した処理の手順を示すフローチャートである。なお、図３で示した起動時のセットアップは完了しているものとする。
【００８４】
まず、制御部６０６が、ＲＯＭ６０５に格納されているファームウェアを読み込む（ステップＳ９０１）。次に、制御部６０６は、ＨＤＤ６０７に記録されている映像データ、音声データを取り込む（ステップＳ９０２）。
【００８５】
次に、入力モジュール６００は、制御部６０６により取り込まれた映像データ、及び音声データを出力変換部６１０で変換した後、出力端子６１１から映像データ、音声データを出力する（ステップＳ９０３）。
【００８６】
そして、共通制御部１０１は、第１の入力端子１１０−１から、映像データ、及び音声データの入力を受け付ける（ステップＳ９０４）。そして、入力された映像データ、及び音声データは、入力制御部１０５で変換等が行われた後、表示制御部１２０が、入力された映像データに対してスケーリング映像処理を行う（ステップＳ９０５）。
【００８７】
そして、表示制御部１２０が、表示パネル１３０に映像データを出力する（ステップＳ９０６）。上述した処理により、ＨＤＤ６０７に記録されていた映像データが表示される。
【００８８】
図９は、本実施形態にかかるテレビジョン表示装置１００が、機能拡張部として入力モジュール６００、及び出力モジュール１０００を備えた構成を示した図である。図９に示されるように、出力モジュール１０００は、出力端子１００１と、外側出力変換部１００２と、ＲＯＭ１００３と、制御部１００４と、ＨＤＤ１００５と、タイプ認識用ＲＯＭ１００６と、制御信号入出力端子１００７と、入力変換部１００８と、入力端子１００９と、を備えている。なお、入力モジュール６００は、図５で示した構成と同様として説明を省略する。また、電源部１７０を含めた、他の機能拡張部については図９から省略する。
【００８９】
また、出力モジュール１０００の入力変換部１００８、入力端子１００９、及び制御信号入出力端子１００７は、図１の入力変換部１５４、入力端子１５５、制御信号入出力端子１５６と同様の処理を行うものとして説明を省略する。
【００９０】
ＲＯＭ１００３は、制御部１００４が読み込むためのファームウェアが格納されているＲＯＭとする。
【００９１】
制御部１００４は、共通制御部１０１から入力端子１００９を介して入力され、入力変換部１００８で変換等が行われた映像データ、音声データに対して、デコード処理、映像処理、音声処理を施す。
【００９２】
ＨＤＤ１００５は、必要に応じて、制御部１００４で処理が施された映像データ、音声データを記録する。
【００９３】
タイプ認識用ＲＯＭ１００６は、出力モジュール１０００の種別を識別するデータを格納している。
【００９４】
外側出力変換部１００２は、制御部１００４から入力された映像データ、及び音声データの論理的信号を、物理層レベルで、外部に送信可能な伝送信号に変換する。伝送信号としては、例えば、ＨＤＭＩ（登録商標）、Ｄｉｓｐｌａｙｐｏｒｔ、ＭＨＬ等用の信号がある。
【００９５】
出力端子１００１は、外側出力変換部１００２で伝送信号に変換された映像データ、音声データを出力する。なお、出力端子１００１の仕様は、製品のターゲットユーザ、地域によって異なるので、ターゲットユーザ、地域に適したモジュールとする。なお、出力端子１００１からの出力先は、特に制限するものではなく、例えば、大画面ディスプレイ等であっても良い。
【００９６】
次に、入力モジュール６００から入力された映像データ等を、出力モジュール１０００から出力する処理について説明する。図１０は、本実施形態にかかるテレビジョン表示装置１００における上述した処理の手順を示すフローチャートである。なお、図３で示した起動時のセットアップは完了しているものとする。
【００９７】
まず、入力モジュール６００の制御部６０６がＲＯＭ６０５に格納されているファームウェアを読み込むと共に、出力モジュール１０００の制御部１００４が、ＲＯＭ１００３に格納されているファームウェアを読み込む（ステップＳ１１０１）。
【００９８】
次に、入力モジュール６００による映像データ、音声データの入力処理が行われる（ステップＳ１１０２）。なお、当該入力処理は、図６のステップＳ７０２〜Ｓ７０６までの処理と同様として、説明を省略する。
【００９９】
そして、共通制御部１０１は、第１の入力端子１１０−１から、映像データ、及び音声データの入力を受け付ける（ステップＳ１１０３）。そして、共通制御部１０１においては、入力された映像データ、及び音声データが、入力制御部１０５で変換等が行われ、出力制御部１０４でさらなる変換等が行われた後、第２の出力端子１０９−２から、映像データ、音声データを出力する（ステップＳ１１０４）。
【０１００】
そして、出力モジュール１０００が、入力端子１００９から、映像データ、音声データの入力を受け付ける（ステップＳ１１０５）。
【０１０１】
そして、出力モジュール１０００においては、入力された映像データ、及び音声データが、入力変換部１００８で変換等が行われ、制御部１００４で映像データ、及び音声データに対する処理が行われ、外側出力変換部１００２でさらなる変換等が行われた後、出力端子１００１から、映像データ、音声データを出力する（ステップＳ１１０６）。
【０１０２】
上述した処理手順により、入力モジュール６００で入力された映像データ等を、出力モジュール１０００から出力できる。
【０１０３】
図１１は、本実施形態にかかるテレビジョン表示装置１００が、機能拡張部としてネットワーク通信部１２００を備えた構成を示した図である。図１１に示されるように、ネットワーク通信部１２００は、無線ＬＡＮインターフェース１２０１と、有線ＬＡＮインターフェース１２０２と、増設メモリインターフェース１２０３と、タイプ認識用ＲＯＭ１２０４と、制御部１２０５と、ＨＤＤ１２０６と、ＲＯＭ１２０７と、制御信号入出力端子１２０８と、ネットワーク端子１２０９と、を備えている。なお、電源部１７０、入力モジュール６００、出力モジュール１０００を含めた、他の機能拡張部については図１１では説明を省略する。
【０１０４】
また、制御信号入出力端子１２０８は、図１の制御信号入出力端子１５６と同様の処理を行うものとして説明を省略する。
【０１０５】
無線ＬＡＮインターフェース１２０１は、無線ＬＡＮを介して外部と通信可能なインターフェースとする。
【０１０６】
有線ＬＡＮインターフェース１２０２は、有線ＬＡＮを介して外部と通信可能なインターフェースとする。
【０１０７】
タイプ認識用ＲＯＭ１２０４は、ネットワーク通信部１２００の種別を識別するデータを格納している。
【０１０８】
ＲＯＭ１２０７は、制御部１２０５が読み込むためのファームウェアが格納されているＲＯＭとする。
【０１０９】
制御部１２０５は、ネットワーク通信部１２００に含まれる各構成を制御する。
【０１１０】
ネットワーク端子１２０９は、共通制御部１０１から、ネットワークやバス（例；イーサネット（登録商標）、ＰＣＩ  Ｅｘｐｒｅｓｓ、ＵＳＢ）を介してデータを入出力する。
【０１１１】
ＨＤＤ１２０６は、様々なデータ（例えば映像データ、音声データ）を記録（録画、録音）する。
【０１１２】
ところで、本実施形態にかかるテレビジョン表示装置１００においては、地域、ユーザの要求に関係のある情報は、地域依存／機能拡張部分の機能拡張部で記憶することとした。つまり、テレビジョン表示装置１００がユーザの要求に応じて表示するメニュー画面や、ヘルプ画面などの画面情報のほか、画面に文字列等を表示するためのフォント情報も、機能拡張部で備えることとした。
【０１１３】
本実施形態では、ネットワーク通信部１２００のＨＤＤ１２０６が、メニュー情報保持部１２１１と、フォント情報保持部１２１２とを、備える。
【０１１４】
メニュー情報保持部１２１１は、地域毎に提供されるサービス等に応じた画面を表示するためのメニュー情報を保持する。
【０１１５】
フォント情報保持部１２１２は、地域毎に利用される言語に応じたフォント情報を保持する。
【０１１６】
つまり、本実施形態では、地域に応じたネットワーク通信部１２００を装着することで、当該地域に対応したメニュー画面、ヘルプ画面を、当該地域に応じた言語のフォントで表示できる。
【０１１７】
そして、共通制御部１０１は、メニュー画面の出力命令をネットワーク通信部１２００に対して行う。ネットワーク通信部１２００は、出力命令に従って、ＨＤＤ１２０６のメニュー情報保持部１２１１からメニュー画面情報を読み出して、共通制御部１０１に出力する。そして、共通制御部１０１は、入力されたメニュー画面や、ヘルプ画面を、表示パネル１３０に表示する。なお、メニュー画面の出力命令等は、地域やユーザの要求等によらず共通とする。これにより、共通制御部１０１は、地域等を意識せずとも、地域に対応したメニュー画面等を表示できる。
【０１１８】
なお、本実施形態では、ネットワーク通信部１２００のＨＤＤ１２０６に、メニュー情報保持部１２１１、フォント情報保持部１２１２を設ける例について説明したが、ネットワーク通信部１２００内に設けることに制限するものではなく、入力モジュール６００や出力モジュール１０００、電源部１７０等の地域依存／機能拡張部分に設けられる構成（機能拡張部）内であれば良い。
【０１１９】
増設メモリインターフェース１２０３は、（図示しない）増設メモリ（例えばフラッシュメモリ）と接続するインターフェースとする。本実施形態にかかる増設メモリインターフェース１２０３は、ＨＤＤ１２０６と同様に映像データを格納できるほか、テレビジョン表示装置１００の状態等が記録されたログデータ等を記録可能とする。
【０１２０】
次に、ネットワーク通信部１２００に入力された映像データ等を、記録するまでの手順について説明する。図１２は、本実施形態にかかるテレビジョン表示装置１００における上述した処理の手順を示すフローチャートである。なお、図３で示した起動時のセットアップは完了しているものとする。
【０１２１】
まず、ネットワーク通信部１２００の制御部１２０５がＲＯＭ１２０７に格納されているファームウェアを読み込む（ステップＳ１３０１）。
【０１２２】
次に、ネットワーク通信部１２００は、ネットワーク端子１２０９からログデータ、又は映像データを入力処理する（ステップＳ１３０２）。
【０１２３】
そして、ネットワーク通信部１２００の制御部１２０５は、入力処理されたデータが、テレビジョン表示装置１００の状態等を示したログデータであるか否かを判定する（ステップＳ１３０３）。入力処理されたデータが、ログデータであると判定した場合（ステップＳ１３０３：Ｙｅｓ）、制御部１２０５は、増設メモリインターフェース１２０３を介して、増設メモリにログデータを記録する（ステップＳ１３０４）。
【０１２４】
一方、制御部１２０５は、入力処理されたデータが、ログデータではないと判定した場合（ステップＳ１３０３：Ｎｏ）、制御部１２０５は、ＨＤＤ１２０６に、入力された映像データ等を記録する（ステップＳ１３０５）。
【０１２５】
上述した処理手順では、ログデータを増設メモリに記録し、映像データ等をＨＤＤ１２０６に記録する例について説明したが、このように分けることに制限するものではなく、例えば映像データ等を増設メモリに記録しても良い。このようにデータの種類に応じて、予め記録先を分けることで、データの管理が容易になる。例えば、当該記録先に格納されたログデータを表示パネル１３０に表示、または無線、有線ネットワークを介して外部に送信することで、テレビジョン表示装置１００の状態を認識できる。
【０１２６】
次に、ネットワーク通信部１２００に格納されているメニュー画面を表示するまでの処理について説明する。図１３は、本実施形態にかかるテレビジョン表示装置１００における上述した処理の手順を示すフローチャートである。なお、図３で示した起動時のセットアップは完了しているものとする。
【０１２７】
制御部１２０５は、ネットワーク端子１２０９を介して、共通制御部１０１からデータの（出力）要求を受信する（ステップＳ１４０１）。次に制御部１２０５は、要求されたデータがメニュー画面情報等であるか否か判定する（ステップＳ１４０２）。制御部１２０５は、メニュー画面情報等ではないと判定した場合（ステップＳ１４０２：Ｎｏ）、映像データ等をＨＤＤ１２０６から読み込む（ステップＳ１４０４）。
【０１２８】
一方、制御部１２０５が、メニュー画面情報等であると判定した場合（ステップＳ１４０２：Ｙｅｓ）、メニュー情報保持部１２１１からメニュー画面情報、フォント情報保持部１２１２からメニュー画面に表示するために必要なフォント情報を、ＨＤＤ１２０６から読み込む（ステップＳ１４０３）。
【０１２９】
そして、制御部１２０５は、ネットワーク端子１２０９を介して、読み込んだデータ（映像データ、又はメニュー画面情報等）を出力する（ステップＳ１４０５）。
【０１３０】
次に、共通制御部１０１が、第１のネットワーク端子１１１−１を介して、ネットワーク通信部１２００から、要求したデータ（映像データ、又はメニュー画面情報等）の入力を受け付ける（ステップＳ１４０６）。
【０１３１】
そして、入力されたデータがネットワーク通信制御部１０６で変換等を行われた後、表示制御部１２０が、入力されたデータ（映像データ、又はメニュー画面情報等）に対応する表示制御を行う（ステップＳ１４０７）。
【０１３２】
上述した処理手順により、表示パネル１３０に、ネットワーク通信部１２００に格納されていた映像データの表示や、メニュー画面の表示が行われる。メニュー画面を表示する際には、地域毎に適したネットワーク通信部１２００に記憶されているメニュー画面情報を読み込むことで、地域に適したメニュー画面が表示される。
【０１３３】
図１４は、第１の地域用のネットワーク通信部のメニュー情報保持部、フォント情報保持部から読み出されたメニュー画面の例図である。図１５は、第１の地域と異なる第２の地域用のネットワーク通信部のメニュー情報保持部、フォント情報保持部から読み出されたメニュー画面の例図である。
【０１３４】
このように、テレビジョン表示装置１００に接続するネットワーク通信部を異ならせるだけで、メニュー画面の態様と、メニュー画面で用いられるフォント情報等と、を異ならせることができる。そして、共通制御部１０１は、接続されているネットワーク通信部から読み出したメニュー画面等を表示するだけで良いため、地域によらず共通の構成として利用できる。
【０１３５】
次に、ネットワーク通信部１２００が外部と通信する処理について説明する。図１６は、本実施形態にかかるテレビジョン表示装置１００における上述した処理の手順を示すフローチャートである。なお、図３で示した起動時のセットアップは完了しているものとする。
【０１３６】
制御部１２０５が、無線ＬＡＮインターフェース１２０１又は有線ＬＡＮインターフェース１２０２を介して、外部からの接続要求を受け付ける（ステップＳ１７０１）。
【０１３７】
制御部１２０５は、ネットワーク端子１２０９を介して、共通制御部１０１に通信接続の要求が来た旨を通知する（ステップＳ１７０２）。そして、共通制御部１０１から接続して良い旨の回答がきた場合に、制御部１２０５は、外部と無線ＬＡＮで通信するか否かを判断する（ステップＳ１７０３）。無線ＬＡＮで通信すると判断した場合（ステップＳ１７０３：Ｙｅｓ）、無線ＬＡＮインターフェース１２０１を介して外部と通信を行う（ステップＳ１７０４）。
【０１３８】
一方、制御部１２０５は、無線ＬＡＮで通信しないと判断した場合（ステップＳ１７０３：Ｎｏ）、有線ＬＡＮインターフェース１２０２を介して外部と通信を行う（ステップＳ１７０５）。
【０１３９】
上述した処理手順により、本実施形態にかかるテレビジョン表示装置１００では、外部との通信を可能とする。
【０１４０】
図１７は、本実施形態にかかるテレビジョン表示装置１００が、機能拡張部としてセンサー部１８００を備えた構成を示した図である。図１７に示されるように、センサー部１８００は、センサー１８０１と、ＲＯＭ１８０２と、メモリ１８０３と、制御部１８０４と、ネットワーク端子１８０５と、タイプ認識用ＲＯＭ１８０６と、制御信号入出力端子１８０７と、を備えている。なお、電源部１７０、入力モジュール６００、出力モジュール１０００、ネットワーク通信部１２００を含めた、他の機能拡張部については図１７では説明を省略する。
【０１４１】
また、制御信号入出力端子１８０７は、図１の制御信号入出力端子１５６と同様の処理を行うものとして説明を省略する。
【０１４２】
センサー１８０１は、テレビジョン表示装置１００の外部環境に関する情報を取得する。センサー１８０１としては、例えば、リモコン用赤外線受信部、撮像部、ジェスチャー検出部、ＧＰＳ等が含まれる。センサー１８０１は、検出した情報を、制御部１８０４に出力する。
【０１４３】
リモートコントローラの仕様は、地域、製品のターゲットとしているユーザによって異なる。このため、センサー１８０１を含むセンサー部１８００は、地域、ターゲットとしているユーザに応じたモジュールとなる。
【０１４４】
ＲＯＭ１８０２は、制御部１８０４が読み込むためのファームウェアが格納されているＲＯＭとする。
【０１４５】
メモリ１８０３は、センサー１８０１で取得された情報を格納する。制御部１８０４は、センサー部１８００に含まれる各構成を制御する。
【０１４６】
ネットワーク端子１８０５は、共通制御部１０１から、ネットワークやバス（例；イーサネット（登録商標）、ＰＣＩ  Ｅｘｐｒｅｓｓ、ＵＳＢ）を介してデータを入出力する。
【０１４７】
タイプ認識用ＲＯＭ１８０６は、センサー部１８００の種別を識別するデータを格納している。
【０１４８】
次に、センサー１８０１で取得された情報の処理について説明する。図１８は、本実施形態にかかるテレビジョン表示装置１００における上述した処理の手順を示すフローチャートである。なお、図３で示した起動時のセットアップは完了しているものとする。
【０１４９】
まず、制御部１８０４が、ＲＯＭ１８０２に格納されているファームウェアを読み込む（ステップＳ１９０１）。次に、制御部１８０４は、センサー１８０１を設定する（ステップＳ１９０２）。
【０１５０】
次に、センサー１８０１は、外部環境に関するデータ（例えばリモートコントローラから出力された赤外線信号、レンズを介して撮影された撮像画像データ）を入力処理する（ステップＳ１９０３）。
【０１５１】
そして、制御部１８０４は、入力されたデータを、共通制御部１０１に送るか否かを判定する（ステップＳ１９０４）。共通制御部１０１に送らないと判定した場合（ステップＳ１９０４：Ｎｏ）、制御部１８０４は、センサー１８０１から入力されたデータを、メモリ１８０３に保管する（ステップＳ１９０７）。
【０１５２】
一方、制御部１８０４が、センサー１８０１から入力されたデータを、共通制御部１０１に送ると判定した場合（ステップＳ１９０４：Ｙｅｓ）、制御部１８０４は、ネットワーク端子１８０５を介して、共通制御部１０１にデータを送信する（ステップＳ１９０５）。
【０１５３】
そして、共通制御部１０１において、第１のネットワーク端子１１１−１を介して、入力されたデータに対して、ネットワーク通信制御部１０６が変換等を行った後、制御部１０８が、入力されたデータに応じた処理を行う（ステップＳ１９０６）。処理としては、例えば、センサー１８０１が取得した情報がリモートコントローラからの赤外線信号の場合に、赤外線信号に対応する処理として、例えばチャンネルの切り替えや、音声ボリュームの変更、電源のオン／オフなどが考えられる。なお、本フローチャートは、処理の一例を示すものであって、センサー１８０１が入力した情報に対応する処理として、他の処理であっても良い。
【０１５４】
上述した処理手順により、本実施形態にかかるテレビジョン表示装置１００は、センサー１８０１が取得した情報に対応する制御を実現できる。
【０１５５】
また、本実施形態は、構成の種類毎に設けられるモジュールの数を制限するものではない。例えば、入力モジュールの数を１つに制限するものではなく、ユーザの要求等に応じて、入力モジュール等を複数設けても良い。
【０１５６】
図１９は、本実施形態にかかるテレビジョン表示装置１００が、機能拡張部として複数の入力モジュールを備えた構成を示した図である。図１９に示されるように、テレビジョン表示装置１００は、第１の入力モジュール６００（図５の入力モジュール６００）と、第２の入力モジュール２０００と、を備えている。なお、第１の入力モジュール６００（図５の入力モジュール６００）の構成は既に説明したので、説明を省略する。
【０１５７】
第２の入力モジュール２０００は、第１の入力端子２００１と、チューナ２００２と、第２の入力端子２００３と、外側入力変換部２００４と、ＲＯＭ２００５と、制御部２００６と、ＨＤＤ２００７と、タイプ認識用ＲＯＭ２００８と、制御信号入出力端子２００９と、出力変換部２０１０と、出力端子２０１１と、入力変換部２０１２と、入力端子２０１３と、を備えている。
【０１５８】
第２の入力モジュール２０００の第１の入力端子２００１、チューナ２００２、第２の入力端子２００３、外側入力変換部２００４、ＲＯＭ２００５、制御部２００６、ＨＤＤ２００７、タイプ認識用ＲＯＭ２００８、制御信号入出力端子２００９、出力変換部２０１０、出力端子２０１１、入力変換部２０１２、及び入力端子２０１３は、第１の入力モジュール６００の第１の入力端子６０１、チューナ６０２、第２の入力端子６０３、外側入力変換部６０４、ＲＯＭ６０５、制御部６０６、ＨＤＤ６０７、タイプ認識用ＲＯＭ６０８、制御信号入出力端子６０９、出力変換部６１０、出力端子６１１、入力変換部６１２、及び入力端子６１３と同様の構成として説明を省略する。
【０１５９】
ただし、ＲＯＭ２００５に格納されているファームウェアを、ＲＯＭ６０５と異ならせてもよい。制御部２００６は、ＲＯＭ２００５に格納されたファームウェアを実行することで、マージ部２０２１を実現する。
【０１６０】
マージ部２０２１は、複数の映像データのマージを行う。マージの態様は、地域や、ユーザの要求に応じて異ならせても良い。例えば複数画面同時表示を行うようにマージしても良い。
【０１６１】
マージ部２０２１は、第２の入力モジュール２０００のチューナ２００２、及び外側入力変換部２００４を介して入力された複数の映像データをマージする。さらに、マージ部２０２１は、マージの対象となる映像データを制限するものではなく、第１の入力モジュール６００のチューナ６０２及び外側入力変換部６０４のうちいずれか一つ以上から入力された映像データをマージの対象としてもよい。
【０１６２】
次に、第１の入力モジュール６００に入力された映像データと、第２の入力モジュール２０００に入力された映像データと、をマージする処理について説明する。図２０は、本実施形態にかかるテレビジョン表示装置１００における上述した処理の手順を示すフローチャートである。なお、図３で示した起動時のセットアップは完了しているものとする。
【０１６３】
まず、第１の入力モジュール６００の制御部６０６が、ＲＯＭ６０５に格納されているファームウェアを読み込み、第２の入力モジュール２０００の制御部２００６が、ＲＯＭ２００５に格納されているファームウェアを読み込む（ステップＳ２１０１）。次に、第１の入力モジュール６００の制御部６０６は、チューナ６０２又は外側入力変換部６０４を介して、第１の映像データ、第１の音声データの入力を受け付ける（ステップＳ２１０２）。
【０１６４】
一方、第２の入力モジュール２０００の制御部２００６は、チューナ２００２又は外側入力変換部２００４を介して、第２の映像データ、第２の音声データの入力を受け付ける（ステップＳ２１０３）。
【０１６５】
次に、第１の入力モジュール６００の制御部６０６が、出力端子６１１を介して第１の映像データ、第１の音声データを、共通制御部１０１に出力する（ステップＳ２１０４）。出力する際に信号の変換等が行われるが、説明を省略する。
【０１６６】
そして、共通制御部１０１の制御部１０８は、第１の入力端子１１０−１から入力された第１の映像データ、第１の音声データを、第２の出力端子１０９−２から第２の入力モジュール２０００に出力する（ステップＳ２１０５）。なお、第１の映像データ、第１の音声データは、入力制御部１０５、出力制御部１０４を経由する際に、信号の変換等が行われるが、説明を省略する。
【０１６７】
次に、第２の入力モジュール２０００のマージ部２０２１が、第１の映像データ、及び第２の映像データのマージ処理を行う（ステップＳ２１０６）。マージ処理としては、ブレンド処理、多画面同時表示の画像の生成などが考えられる。
【０１６８】
その後、第２の入力モジュール２０００の制御部２００６は、マージ処理された後の映像データ、及び音声データを、出力端子２０１１から出力する（ステップＳ２１０７）。
【０１６９】
そして、共通制御部１０１は、第２の入力端子１１０−２から、マージ処理された後の映像データ、及び音声データを入力する（ステップＳ２１０８）。なお、マージ処理された後の映像データ、音声データは、入力制御部１０５を経由する際に、信号の変換等が行われるが、説明を省略する。
【０１７０】
そして、表示制御部１２０は、マージ処理された後の映像データに対して、スケーリング映像処理を行った後、表示パネル１３０に映像データを出力する（ステップＳ２１０９）。上述した処理により、マージ処理された後の映像データが表示される。
【０１７１】
ところで、従来から製品の仕向地によってＡＣ電源の仕様が異なっていた。従来のテレビジョン表示装置では、仕向地毎に製品を製造する必要があった。これに対して、本実施形態では、電源部を着脱可能として、仕向地に応じた電源部を接続することで、仕向地に応じた製品を提供可能とした。
【０１７２】
従来、ターゲットとなるユーザに応じて、テレビジョン表示装置に必要な入力端子、出力端子の種類、数、ＨＤＤの容量が異なっていた。このため、ターゲットとなるユーザに応じて、入力端子、出力端子の種類、数、ＨＤＤの容量を設定する必要があった。これに対して、本実施形態では、ターゲットとなるユーザに応じた機能拡張部（例えば、入力モジュール、出力モジュール）をテレビジョン表示装置に接続することで、入力端子及び出力端子の数、ＨＤＤの容量を変更することが可能となった。これにより、ターゲットとなるユーザ毎に入力端子、出力端子の種類、数を異ならせる必要が無いため、開発負担を軽減できる。
【０１７３】
つまり、本実施形態にかかるテレビジョン表示装置１００では、複数の出力モジュールを接続することを可能とする。複数の出力モジュールを接続した場合に、共通制御部１０１は、複数の出力モジュールの各々から映像データを出力するよう制御できる。これにより、換言すれば、本実施形態では、出力モジュールを複数接続して、多重出力を実現することができる。
【０１７４】
本実施形態にかかるテレビジョン表示装置１００の機能拡張部（例えばネットワーク通信部１２００）に設けられたＨＤＤにおいては、共通制御部１０１からの映像データ、音声データ（すなわち録画データ）だけでなく、グローバル共通部に異常が発生したとき生成されるログデータやレジスタのダンプデータを蓄積する。そして、蓄積されたログデータは、共通制御部１０１を介して表示しても良いし、外部の装置と接続するインターフェース（例えば、無線ＬＡＮインターフェース１２０１等）を介して送信しても良い。これにより、テレビジョン表示装置１００の状態を認識できる。
【０１７５】
ところで、テレビジョン表示装置１００に用いられるリモートコントローラは、仕向地毎に仕様が異なる。従来は、仕向地毎にリモートコントローラに対応する構成を開発する必要があったが、本実施形態では、仕向地に適した機能拡張部（センサー部）を装着することで、仕向地に応じた製品を提供できるため、開発負担を軽減できる。
【０１７６】
さらに、本実施形態にかかるテレビジョン表示装置１００においては、共通制御部１０１と独立して、機能拡張部を動作可能とする機能を有する。これにより、共通制御部１０１の電源がオフの場合でも、機能拡張部を独立して動作させることで、当該機能拡張部の機能（録画等）を制御できる。これにより、消費電力削減を可能とする。
【０１７７】
さらには、テレビジョン表示装置を含む映像出力装置においては、製品のターゲットがハイエンド、ローエンドによって必要なセンサーの仕様や必要な数が異なる。従来は、ターゲットに応じたセンサーを装着する必要があったが、本実施形態では、ターゲットに応じたセンサー部を設けることで、ターゲットに応じた製品を提供できるため、開発負担を軽減できる。
【０１７８】
本実施形態では、共通制御部１０１と、機能拡張部との間の映像インターフェースを、家電向けのインターフェースで映像、音声データを入出力しているので、共通制御部１０１だけでモニターとして使用できる。
【０１７９】
（第２の実施形態）
上述した実施形態では、電源部が一つしか設けていない場合について説明した。しかしながら、電源部を一つに制限するものではなく、複数の電源部を設けてもよい。
【０１８０】
図２１は、本実施形態にかかるテレビジョン表示装置２２００が、機能拡張部として複数の電源部を備えた構成を示した図である。図２１に示されるように、テレビジョン表示装置２２００は、電源部１７０と、第２の電源部２２０１と、を備えている。なお、電源部１７０の構成は既に説明したので、説明を省略する。
【０１８１】
第２の電源部２２０１は、バッテリ２２７１と、ＡＣ電源ポート２２７２と、ＡＣ／ＤＣコンバータ２２７３と、セレクタ２２７４と、ＣＰＵ２２７５と、電源端子２２７６と、制御信号入出力端子２２７７と、タイプ認識用ＲＯＭ２２７８と、を備えている。各構成は、第１の実施形態の電源部１７０と同様の構成として説明を省略する。
【０１８２】
本実施形態にかかるテレビジョン表示装置２２００では、複数の電源部が接続されていることを認識した場合に、複数の電源部のうちいずれか１つに電力を制御するように指示する。本実施形態では、共通制御部１０１が、電源部１７０に対して、電力を制御するように指示する例とする。これにより、電源部１７０が最初に電力供給を制御する。
【０１８３】
次に、本実施形態にかかるテレビジョン表示装置２２００における、電源からの電力供給処理について説明する。図２２は、本実施形態にかかるテレビジョン表示装置２２００における上述した処理の手順を示すフローチャートである。
【０１８４】
まず、電源部１７０のＣＰＵ１７５は、電源部１７０のＡＣ電源ポート１７２を介して接続されているＡＣ電源から、電力を供給するか否かを判定する（ステップＳ２３０１）。電力を供給すると判定した場合（ステップＳ２３０１：Ｙｅｓ）、ＡＣ電源ポート１７２を介して接続されているＡＣ電源から、図４のステップＳ４０２〜Ｓ４０６のように、バッテリ１７１の充電や、共通制御部１０１に対して電力を供給する（ステップＳ２３０２）。
【０１８５】
また、電源部１７０のＣＰＵ１７５が、電源部１７０のＡＣ電源ポート１７２を介して接続されているＡＣ電源から、電力を供給しないと判定した場合（ステップＳ２３０１：Ｎｏ）、電源部１７０のバッテリ１７１から電力を供給するか否かを判定する（ステップＳ２３０３）。
【０１８６】
ＣＰＵ１７５が、電源部１７０のバッテリ１７１から電力を供給すると判定した場合（ステップＳ２３０３：Ｙｅｓ）、セレクタ１７４をバッテリ１７１側にセットして、電源端子１７６に、バッテリ１７１の電力を供給する（ステップＳ２３０４）。これにより、共通制御部１０１は、電源端子１０２を介して電力が供給される（ステップＳ２３０５）。
【０１８７】
一方、ＣＰＵ１７５が、電源部１７０のバッテリ１７１から電力を供給しないと判定した場合（ステップＳ２３０３：Ｎｏ）、電源部１７０は利用されないものとして、ＣＰＵ１７５が、共通制御部１０１に通知する。そして、当該通知を受け取った共通制御部１０１は、第２の電源部２２０１のＣＰＵ２２７５に電源を制御するように指示する。これにより、第２の電源部２２０１のＣＰＵ２２７５が、第２の電源部２２０１のＡＣ電源ポート２２７２を介して接続された第２のＡＣ電源から電力を供給するか否かを判定する（ステップＳ２３０６）。ＣＰＵ２２７５が、第２のＡＣ電源から電力を供給しないと判定した場合（ステップＳ２３０６：Ｎｏ）、第２の電源部２２０１のセレクタ２２７４をバッテリ２２７１側にセットして、電源端子２２７６に、バッテリ２２７１の電力を供給する（ステップＳ２３０９）。
【０１８８】
一方、ＣＰＵ２２７５が、第２のＡＣ電源から電力を供給すると判定した場合（ステップＳ２３０６：Ｙｅｓ）、第２のＡＣ電源からの電力で、第２の電源部２２０１のバッテリ２２７１を充電するか否かを判定する（ステップＳ２３０７）。バッテリ２２７１に充電すると判定した場合（ステップＳ２３０７：Ｙｅｓ）、第２のＡＣ電源から供給された電力を、ＡＣ／ＤＣコンバータ２２７３でＤＣに変換して、バッテリ２２７１を充電する（ステップＳ２３０８）。
【０１８９】
一方、ＣＰＵ２２７５は、第２の電源部２２０１のバッテリ２２７１を充電しないと判定した場合（ステップＳ２３０７：Ｎｏ）、セレクタ２２７４を第２のＡＣ電源側にセットして、電源端子２２７６に、第２のＡＣ電源側の電力を供給する（ステップＳ２３１０）。そして、ステップＳ２３０９、Ｓ２３１０の処理の後、共通制御部１０１は、電源端子２２７６を介して電力が供給される（ステップＳ２３１１）。
【０１９０】
上述した処理手順により、テレビジョン表示装置２２００において電力の供給が行われる。
【０１９１】
本実施形態にかかるテレビジョン表示装置２２００においては、複数の電源部を接続可能として、複数の電源部に設けられた各バッテリの残量から、どのバッテリを使用するか共通制御部１０１が制御することを可能とした。
【０１９２】
上述した実施形態においては、ターゲットとなるユーザ、及び地域に応じた機能拡張部を接続することで、ターゲットとなるユーザ、及び地域に応じた製品を提供できる。
【０１９３】
上述した実施形態においては、機能拡張部のＨＤＤや増設メモリに、メニュー画面（ＧＵＩ）データ、セットアップ時の画面データ、音声データ、ヘルプ時用の画面データ、フォントデータを格納することができる。既存技術ではテレビジョン表示装置に内蔵された、（メインとなる）制御基板に搭載された内蔵ＲＯＭに記憶させておく必要があった。これに対して、上述した実施形態では、仕向地ごと、機能ごとに異なった画面データがＨＤＤ等に格納された機能拡張部を接続することで、仕向地、機能に応じた製品を設定できる。これにより、開発負担を軽減できる。
【０１９４】
上述した実施形態においては、仕向地、ターゲットとなるユーザに応じた、製品の横展開、縦展開が容易となる。また、製品毎に開発する必要が無いため、開発負担を軽減できる。これにより、低コスト化が可能となる。
【０１９５】
上述した実施形態においては、仕向地に応じたチューナの違い、リモートコントローラの違い、仕向地に応じたＡＣ電源の違い、使用目的やローエンド／ハイエンドの違いによる機能の違いを機能拡張部の装着の有無で実現できる。このような構成により、部材の共通化ができるので、低コスト化を実現できる。同様の理由で、設計工数を削減できると共に、設計効率を向上できる。
【０１９６】
上述した実施形態においては、故障が発生した場合に、その故障した機能拡張部だけを交換することで対応できるため、修理の低コスト化ができる。
【０１９７】
上述した実施形態においては、製品に異常現象が発生した場合に、異常時のログ、記録を機能拡張部に残し、正常な共通制御部１０１や外部の装置で、ログ、記録を確認できるので、異常現象の原因究明ができる。
【０１９８】
上述した実施形態においては、新規の機能（例；新しい入力インターフェース）の追加が、機能拡張部の新規開発だけでよく、共通制御部１０１を開発する必要は無いため、設計効率の向上を図ることができる。
【０１９９】
上述した実施形態においては、地域、製品のターゲットユーザごとに異なる複数の機能拡張部を開発、製造することとした。その上で、複数の機能拡張部から、ユーザの要求、地域に応じて、共通制御部１０１に装着することで、ユーザの要求、地域に応じたテレビジョン表示装置として提供できる。
【０２００】
また、仕向地によって放送方式が異なるが、本実施形態では、テレビジョン表示装置１００において、仕向地に応じた放送方式のチューナ機能を有する機能拡張部を装着することとした。これにより、仕向地毎に機能拡張部のみ開発し、共通制御部は仕向地によらず共通で利用できるため、開発負担を軽減できる。
【０２０１】
上述した実施形態においては、共通制御部１０１から映像データを機能拡張部（入力モジュール）に入力し、機能拡張部（入力モジュール）で映像データのマージ（ブレンド、多画面同時表示画像の生成）ができる。当該制御を機能拡張部で行うことで、機能を向上させる際に、機能拡張部のみ開発すればよく、共通制御部１０１を開発する必要がないため、開発負担を軽減できる。
【０２０２】
上述した実施形態においては、フォント情報、及びメニュー画面情報等を機能拡張部（例えば、ネットワーク通信部）で保持することとしたため、地域に応じたフォント、メニュー画面等を提供する際に、機能拡張部の着脱のみ行えば良く、共通制御部の開発は必要無いため、開発負担を軽減できる。これにより、開発コストを削減できる。
【０２０３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、請求の範囲に記載された発明とその均等の範囲に含まれる。
【要約】
実施形態の映像出力装置は、第１の機能拡張部と、第２の機能拡張部と、制御部と、を備える。第１の機能拡張部は、着脱可能で、映像情報を入力処理する。第２の機能拡張部は、着脱可能で、フォント情報、及び画面情報のうちいずれか一つ以上を記憶する記憶部を有する。制御部は、第１の機能拡張部から入力された映像情報と、第２の機能拡張部から入力されたフォント情報及び画面情報のうちいずれか一つ以上と、を表示部に出力する。【図１】
0005632542.tif 000002
【図２】
0005632542.tif 000003
【図３】
0005632542.tif 000004
【図４】
0005632542.tif 000005
【図５】
0005632542.tif 000006
【図６】
0005632542.tif 000007
【図７】
0005632542.tif 000008
【図８】
0005632542.tif 000009
【図９】
0005632542.tif 000010
【図１０】
0005632542.tif 000011
【図１１】
0005632542.tif 000012
【図１２】
0005632542.tif 000013
【図１３】
0005632542.tif 000014
【図１４】
0005632542.tif 000015
【図１５】
0005632542.tif 000016
【図１６】
0005632542.tif 000017
【図１７】
0005632542.tif 000018
【図１８】
0005632542.tif 000019
【図１９】
0005632542.tif 000020
【図２０】
0005632542.tif 000021
【図２１】
0005632542.tif 000022
【図２２】
0005632542.tif 000023